(57)【特許請求の範囲】
【請求項１】
ハウジング（２）を備える家具用のダンパ、特にヒンジ用のダンパ（１）であって、
前記ハウジング内には、ピストンロッド（３）に接続されるピストン（８）が移動可能に受容され、前記ハウジング（２）内での前記ピストン（８）の動作中に前記ピストン（８）上または前記ピストン（８）内のフローチャンネル（１１）を通じて流体が流れ、駆動要素に結合するための座部（５）を有する接続要素（４）が、前記ハウジング（２）から突出する前記ピストンロッド（３）の端部に設けられる、ダンパ（１）において、
前記座部（５）が、該座部に取り付けられる前記ピストンロッド（３）に面して切欠き部（１８）を有し、該切欠き部が、前記ピストンロッド（３）の面（１７）と前記座部（５）に取り付けられる駆動要素との直接的な機械接触を可能にし、前記駆動要素は、圧力が加えられると、該駆動要素から前記ピストンロッド（３）へ向かう軸方向の力の直接的な流れがあるよう、前記座部（５）に取り付けられることを特徴とする、ダンパ。
【請求項２】
前記切欠き部（１８）が、スリット形状を成して、前記面（１７）の全長にわたって延びることを特徴とする、請求項１に記載のダンパ。
【請求項３】
前記座部（５）が略円筒状のアイとして形成されることを特徴とする、請求項１または２に記載のダンパ。
【請求項４】
前記ピストンロッド（３）が金属から形成されることを特徴とする、請求項１〜３のいずれか一項に記載のダンパ。
【請求項５】
前記接続要素（４）が前記ピストンロッド（３）に差し込まれることを特徴とする、請求項１〜４のいずれか一項に記載のダンパ。
【請求項６】
前記接続要素（４）がプラスチックから形成されて前記ピストンロッド（３）に係合されることを特徴とする、請求項１〜５のいずれか一項に記載のダンパ。
【請求項７】
ダンパ（１）が圧力ダンパとして構成され、前記ハウジング（２）内への前記ピストンロッド（３）の挿入中に、引き出し中よりも大きい制動力が生み出されることを特徴とする、請求項１〜６のいずれか一項に記載のダンパ。
【請求項８】
前記ピストン（８）が金属スライダ（１３）により前記ピストンロッド（３）に固定されることを特徴とする、請求項１〜７のいずれか一項に記載のダンパ。
【請求項９】
請求項１〜８のいずれか一項に記載のダンパ（１）が設けられることを特徴とするヒンジ。
【発明の詳細な説明】
【技術分野】
【０００１】
本発明は、ハウジングを備え、該ハウジング内には、ピストンロッドに接続されるピストンが移動可能に受容され、ハウジング内でのピストンの動作中にピストン上またはピストン内のフローチャンネル（ｆｌｏｗ  ｃｈａｎｎｅｌ）を通じて流体が流れ、駆動要素に結合するための座部を有する接続要素が、ハウジングから突出するピストンロッドの端部に設けられる、家具用、特にヒンジ用のダンパに関する。
【背景技術】
【０００２】
国際公開第２００７／０９９１００号パンフレットは、ピストンロッドを有するピストンがハウジング内に移動可能に配置される家具用のダンパを開示する。ピストンの動作中、フローチャンネルの絞り効果によって制動が行なわれ、この場合、制動力は、ピストンロッドの挿入中と引き出し中とで異なる。そのようなダンパを圧力ダンパとして実行する、すなわち、ピストンロッドの挿入中に作動力が高くなるようにするのが有益であることが分かってきた。ハウジングから突出するピストンロッドの端部に接続要素が取り付けられ、該接続要素は、ラッチ要素として構成されて、外側に開放するアイ（ｅｙｅ）を備える。結果として、ボルトを接続要素に係合させることができる。ダンパのこの種の結合を用いると、接続要素とピストンロッドとの間の結合が十分な耐荷重能力を有さず、不都合である。特に、ピストンロッドの挿入中、大きな圧縮負荷によってプラスチック接続要素が損傷する可能性があり、それにより、ダンパが破壊される。
【発明の概要】
【発明が解決しようとする課題】
【０００３】
したがって、本発明の目的は、大きな圧縮負荷にも耐えることができる家具用のダンパを提供することである。
【課題を解決するための手段】
【０００４】
この目的は、請求項１の特徴を有するダンパによって達成される。
【０００５】
本発明によれば、ピストンロッドの面は、接続要素の座部内に配置される構成要素、例えば可動ヒンジ部品のボルトがピストンロッドの面に直接的に直ちに当接できるように前記座部に配置される。このとき、座部内に配置される構成要素とピストンロッドとの間の力の直接的な伝達は、特に圧力が加えられるときに可能である。これに対し、接続要素は圧縮負荷を伝える必要がない。これは、通常は柔軟である接続要素の材料が、ピストンロッドに対する接続要素の保持を危うくする変形または亀裂を引き起こす可能性がある高負荷を受けて破損するのを防止する。
【０００６】
接続要素には、ピストンロッドの面の一部が配置される切欠き部が形成され、該切欠き部は、ピストンロッドの面と座部内に取り付けられる駆動要素との直接的な機械接触を可能にし、また、駆動要素は、圧力が加えられると該駆動要素からピストンロッドへ向かう軸方向の力の直接的な流れが存在するよう、座部に取り付けられる。切欠き部は、スリット形状を成すように形成され得ることが好ましく、面の全長にわたって延びる。これにより、特にボルト形状の構成要素が挿入される略円筒状のアイとして座部が形成されるときに、面上に接触面を予め規定することができる。その場合、このボルトのための接触面をスリット形状の座部に形成することができる。
【０００７】
高力伝達のため、ピストンロッドが金属から形成されるのが好ましい。これにより、接続要素をピストンロッドに差し込んで容易に組み付けることができる。座部内に挿入される構成要素とピストンロッドとの間で直接に力の伝達が行なわれるため、接続要素をプラスチックから形成してピストンロッドに係合させることができる。これは、接続要素が大きい圧縮力を吸収する必要がないからである。その結果、係合は、力を殆ど必要としないハウジングからのピストンロッドの引き出し中の力の伝達のためだけに使用される。
【０００８】
ダンパは、ハウジング内へのピストンロッドの挿入中に引き出し中よりも大きい制動力をもたらす圧力ダンパとして構成されるのが好ましい。これにより、例えば家具ドアの場合の閉塞動作が制動され、一方、反対の開放動作をほぼスムーズに実行できる。この点に関して、圧力ピークまたは大きい作動力は、ピストンロッドの挿入方向での動作中にのみ生じる。
【０００９】
ピストンに作用するピストンロッドの端部で、大きな力がピストンロッドからピストンロッド部分を介してピストンへ伝えられなければならない。このため、更なる実施形態では、ピストンが金属スライダを介してピストンロッドに固定される。結果として、大きな圧縮力をピストンロッドからピストンへ伝えることができる。この場合、スライダをピストンおよび／またはピストンロッドに係合またはクランプすることができる。
【００１０】
以下、添付図面を参照して、２つの典型的な実施形態により本発明を詳しく説明する。
【図面の簡単な説明】
【００１１】
【図１】本発明に係るダンパの斜視図を示している。
【図２】ハウジングを伴わない図１のダンパの図を示している。
【図３】ハウジングを伴わない図１のダンパの図を示している。
【図４】図１のダンパの接続要素を有するピストンロッドの詳細図を示している。
【図５】図１のダンパの接続要素を有するピストンロッドの詳細図を示している。
【図６】図１のダンパの接続要素を有するピストンロッドの詳細図を示している。
【発明を実施するための形態】
【００１２】
特に家具用のダンパ１は略円筒状のハウジング２を備え、該ハウジングからはピストンロッド３が突出する。軸方向に対して垂直に配置される貫通開口５を有する接続要素４がピストンロッド３の一端に形成され、該接続要素には例えばヒンジのボルトを取り付けることができる。同様に、長手方向に対して垂直に延びる貫通開口６が、他のボルトに接続するためにハウジング２の反対側に形成される。
【００１３】
ハウジング２内には内部７が配置され、この内部７には軸方向に移動可能なピストン８が設けられる。ピストン８はシールリング１０のための環状座部９を有し、シールリング１０はハウジング２の内壁に沿ってピストン８を案内する。軸方向に延びる１つ以上の溝２１をハウジング２の内壁に設けることができ、それにより、流体の通過のためのバイパスが形成される。ピストン８には、バルブディスク（図示せず）によって覆われる一方の面に溝形状チャンネル２０が切られている。バルブディスクは、ピストンロッド３の挿入中にチャンネル２０が閉じられるようにし、その結果として、絞り隙間が形成されるようにする。ピストンロッド３の引き出し中、バルブディスクが負圧の結果としてピストン８の面から引き上げられ、それにより、貫通開口への更に大きなフローチャンネル１１が形成される。
【００１４】
ダンパ１は、ハウジング２の開放側に、カバー２８と、隣接して配置される補償要素２５とを更に備えており、ピストン８の動作中にピストンロッドにより移動される流体の体積を補償するために補償要素２５によって体積補償が達成される。
【００１５】
ピストンロッド３が図２〜図５に詳しく示されている。ピストンロッド３は、両端部のそれぞれに、環状溝１２または環状溝１５を有する。ピストン８は、スライダ１３によって環状溝１２で固定される。スライダ１３は、好ましくは金属から成り、スライダ１３をピストンロッド３の溝１２へスライドさせるための座部１４が設けられるようにＵ形状を成す。ピストン８はスライダ１３のための隙間形状の座部２２を有し、該座部には、ピストン周部にスライダ１３を取り付けるべく接近できる。スライダ１３がピストン８内に取り付けられると、軸方向の力がピストンロッド３を介してピストン８に伝えられる。同時に、特にスライダ１３の幅広く形成される面が、ピストンロッド３とピストン８との間の接続を軸方向力に抗して支え、それにより、ピストンロッド３がピストン８を貫通するのを防ぐ。これにより、ダンパ１が圧力ダンパとして構成され、そのため、特に、ハウジング２内へのピストンロッド３の挿入中、チャンネル２０がバルブディスクにより覆われると、高負荷が生じる。
【００１６】
ピストンロッド３の反対側には、環状溝１５に係合するプラスチックから成る接続要素４が設けられる。接続要素４は円筒状の座部５を有し、該座部内にヒンジのレバーのボルトを挿入できる。座部５は、ピストンロッド３の一方の面１７の一部が見えるように形成される。このため、座部５には、面１７の全長にわたって延びるスリット１８が形成される。面１７の一部は接続要素４によって覆われるが、細長いスリット１８が面１７の中心領域を露出させ、それにより、この領域は、ここではスリットを通じてボルトに直接に当接できるボルトのためのストッパ面としての機能を果たすことができる。このようにすると、接続要素４の柔軟な材料に負荷を与えることなく、高圧縮力をピストンロッド３を介して伝えることができる。通常は、ヒンジのボルトも金属から成り、それにより、金属ピストンロッド３およびボルトを介して力を直接に伝えることができる。接続要素４に作用する引張負荷を考慮すると、圧力ダンパとしての形態に起因して小さな力だけが作用し、そのため、溝１５に係合するためには接続要素４の環状突起１６で十分である。
【００１７】
図示の典型的な実施形態において、接続要素４は、ボルトのための円筒状の座部５を備える。無論、ピストンロッド３の挿入中にのみ大きい負荷が生じるため、座部５の形状を開放させることもでき、例えば、ボルトが係合できるように２つのＵ形状脚部がボルトを取り囲むことができ、それにより、ボルト３の面への接近可能性がスリット１８を通じて確保されるとともに、ピストンロッド３の引き出し中の低い引張負荷もＵ形状座部によって吸収できる。また、座部５を円筒形状とは異なって形成することができ、特に、ピストンロッド３の面１７に完全に接近でき、それにより、圧縮力の伝達のために対応する構成要素をそこに配置できるようにする。
【図１】
0005444576.tif 000002
【図２】
0005444576.tif 000003
【図３】
0005444576.tif 000004
【図４】
0005444576.tif 000005
【図５】
0005444576.tif 000006
【図６】
0005444576.tif 000007